(57)【要約】【課題】既存のコンバータＩＣを用いて、送信周波数が拡張された信号を適切に受信することができ、かつ受信した信号に対する他の信号の干渉が抑制された衛星放送受信チューナを提供する。【解決手段】入力された信号の周波数を２１５０ＭＨｚ以下に変換して出力する周波数変換回路（５１）と、受信可能周波数範囲の上限が２１５０ＭＨｚ以下であるコンバータＩＣ（５７）とを備えている。周波数変換回路（５１）の局部発振器（５１Ｌ）の局部発振周波数は、衛星放送受信チューナ（５０）の受信可能周波数範囲外である。【選択図】図１
2016063370.tif 000002
【特許請求の範囲】
【請求項１】
入力された信号の周波数を２１５０ＭＨｚ以下に変換して出力する周波数変換回路と、
上記周波数変換回路に対して出力側に設けられており、入力された信号をベースバンド信号に変換する第１のコンバータＩＣであって、受信可能周波数範囲の上限が２１５０ＭＨｚ以下である第１のコンバータＩＣとを備えており、
上記周波数変換回路は、
衛星放送受信チューナの受信可能周波数範囲外である局部発振周波数を有する局部発振器と、
上記局部発振器の出力信号を用いて、上記周波数変換回路に入力された信号に対する周波数変換を行うミキサとを有していることを特徴とする衛星放送受信チューナ。
【請求項２】
上記局部発振器の局部発振周波数は、４３００ＭＨｚであり、
上記衛星放送受信チューナの受信可能周波数範囲の上限は、３３５０ＭＨｚであることを特徴とする請求項１に記載の衛星放送受信チューナ。
【請求項３】
入力された信号をベースバンド信号に変換する第２のコンバータＩＣであって、受信可能周波数範囲の上限が２１５０ＭＨｚ以下である第２のコンバータＩＣと、
上記周波数変換回路に対して入力側、かつ上記第２のコンバータＩＣに対して入力側に設けられており、入力された信号を周波数に応じて複数の経路に分波する分波回路とを備えており、
上記複数の経路のうち、所定の周波数を超える信号が通過する第１経路に、上記周波数変換回路および上記第１のコンバータＩＣが設けられており、
上記複数の経路のうち、上記所定の周波数以下の信号が通過する第２経路に、上記第２のコンバータＩＣが設けられていることを特徴とする請求項１または２に記載の衛星放送受信チューナ。
【請求項４】
上記周波数変換回路に対して入力側に設けられた第１のスイッチと、
上記周波数変換回路に対して出力側に設けられた第２のスイッチと、
上記周波数変換回路を迂回して、上記第１のスイッチと上記第２のスイッチとを接続するバイパス経路とを備えており、
上記第１のスイッチおよび上記第２のスイッチは、
上記第１のスイッチから出力された信号が、上記周波数変換回路を通過して、上記第２のスイッチに入力される状態と、
上記第１のスイッチから出力された信号が、上記バイパス経路を通過して、上記第２のスイッチに入力される状態とを切り替えることを特徴とする請求項１または２に記載の衛星放送受信チューナ。
【発明の詳細な説明】
【技術分野】
【０００１】
本発明は、衛星放送受信チューナに関する。
【背景技術】
【０００２】
従来一般的な衛星放送受信チューナの構成を図４に示している。
【０００３】
衛星から送信された信号（放送波）は、ＬＮＢ（Low Noise Block down converter）１０１によって低い周波数に変換（ダウンコンバート）され、同軸ケーブル１０２を通って、図４に示す衛星放送受信チューナ１００に入力される。
【０００４】
衛星放送受信チューナ１００は、入力端子１０３、コンデンサ１０４、ハイパスフィルタ１０５、増幅器１０６、コンバータＩＣ１０７、コンデンサ１０９Ｉおよび１０９Ｑ、ならびに出力端子１０８Ｉおよび１０８Ｑを備えている。
【０００５】
入力端子１０３は、同軸ケーブル１０２から信号が入力される。
【０００６】
コンデンサ１０４は、入力端子１０３から出力された信号から直流成分を除去する。
【０００７】
ハイパスフィルタ１０５は、コンデンサ１０４から出力された信号の所望周波数以下の成分を減衰させる。
【０００８】
増幅器１０６は、ハイパスフィルタ１０５から出力された信号を増幅する。
【０００９】
コンバータＩＣ１０７は、ＩＣ（Integrated Circuit：集積回路）として集積化された周波数変換回路であり、増幅器１０６から出力された信号に基づいて、希望放送チャンネルの選局を行う。コンバータＩＣ１０７は、増幅器１０６から出力された信号に対して、ダイレクトコンバーション方式による周波数変換を施し、ベースバンド信号を出力する。
【００１０】
コンデンサ１０９Ｉは、コンバータＩＣ１０７から出力されたＩ信号から直流成分を除去する。コンデンサ１０９Ｑは、コンバータＩＣ１０７から出力されたＱ信号から直流成分を除去する。
【００１１】
出力端子１０８Ｉは、コンデンサ１０９Ｉから出力されたＩ信号を、衛星放送受信チューナ１００の外部に出力する。出力端子１０８Ｑは、コンデンサ１０９Ｑから出力されたＱ信号を、衛星放送受信チューナ１００の外部に出力する。
【００１２】
出力端子１０８Ｉおよび１０８Ｑから出力された信号は、後段の復調回路（図示しない）へ出力される。
【００１３】
従来の衛星放送において、ＬＮＢ１０１から出力され、衛星放送受信チューナ１００に入力される信号の周波数は、ＡＲＩＢ（電波産業会）規格によって、９５０ＭＨｚ〜２１５０ＭＨｚと定められている。このため、衛星放送受信チューナ１００の受信可能周波数範囲は、９５０ＭＨｚ〜２１５０ＭＨｚとなっている。
【００１４】
また、特許文献１のように、同時に複数の信号を受信可能な受信装置も知られている。
【００１５】
ところで、次世代の衛星放送（超高精細度衛星放送）において、従来の衛星放送に対して、信号の送信周波数が拡張されることが予想される。そして近年、送信周波数が拡張された信号を適切に受信することができる衛星放送受信チューナの開発が求められている。
【００１６】
特許文献２には、周波数変換を２度行うことで、最大２６００ＭＨｚの信号を受信可能な衛星放送受信チューナが開示されている。
【先行技術文献】
【特許文献】
【００１７】
【特許文献１】特開２００７−８１８７８号公報（２００７年３月２９日公開）
【特許文献２】特開２００３−１１５７７８号公報（２００３年４月１８日公開）
【発明の概要】
【発明が解決しようとする課題】
【００１８】
図４に示す衛星放送受信チューナ１００の受信可能周波数範囲は、コンバータＩＣ１０７の仕様に応じて決定される。通常、コンバータＩＣ１０７の仕様によって定められるコンバータＩＣ１０７の受信可能周波数範囲は、ＡＲＩＢ規格に対応した９５０ＭＨｚ〜２１５０ＭＨｚである。このため、衛星放送受信チューナ１００では、信号の送信周波数が拡張されると、信号の受信ができなくなるという問題が発生する。
【００１９】
一方で、受信可能周波数範囲を広げたコンバータＩＣを開発するためには、膨大な開発費が必要となる。このため、既存の（受信可能周波数範囲が９５０ＭＨｚ〜２１５０ＭＨｚである）コンバータＩＣ１０７を用いて、送信周波数が拡張された信号を適切に受信することができる衛星放送受信チューナを開発することが要望されている。
【００２０】
特許文献２に開示されている衛星放送受信チューナでは、既存のコンバータＩＣ１０７を用いて、送信周波数が拡張された信号を受信し得る。しかしながら、特許文献２に開示されている衛星放送受信チューナでは、発振回路の周波数が例えば９００ＭＨｚであり、その高調波１８００ＭＨｚは受信可能周波数範囲内となる。この結果、発振回路の出力信号が、衛星放送受信チューナが受信した信号に対して干渉する恐れがある。
【００２１】
本発明は、上記の課題に鑑みて為されたものであり、その目的は、既存のコンバータＩＣを用いて、送信周波数が拡張された信号を適切に受信することができ、かつ受信した信号に対する他の信号の干渉が抑制された衛星放送受信チューナを提供することにある。
【課題を解決するための手段】
【００２２】
上記の課題を解決するために、本発明の一態様に係る衛星放送受信チューナは、入力された信号の周波数を２１５０ＭＨｚ以下に変換して出力する周波数変換回路と、上記周波数変換回路に対して出力側に設けられており、入力された信号をベースバンド信号に変換する第１のコンバータＩＣであって、受信可能周波数範囲の上限が２１５０ＭＨｚ以下である第１のコンバータＩＣとを備えており、上記周波数変換回路は、衛星放送受信チューナの受信可能周波数範囲外である局部発振周波数を有する局部発振器と、上記局部発振器の出力信号を用いて、上記周波数変換回路に入力された信号に対する周波数変換を行うミキサとを有していることを特徴としている。
【発明の効果】
【００２３】
本発明の一態様によれば、既存のコンバータＩＣを用いて、送信周波数が拡張された信号を適切に受信することができ、かつ受信した信号に対する他の信号の干渉が抑制されるという効果を奏する。
【図面の簡単な説明】
【００２４】
【図１】本発明の実施の形態１に係る衛星放送受信チューナの構成を示すブロック図である。
【図２】本発明の実施の形態２に係る衛星放送受信チューナの構成を示すブロック図である。
【図３】本発明の実施の形態３に係る衛星放送受信チューナの構成を示すブロック図である。
【図４】従来一般的な衛星放送受信チューナの構成を示すブロック図である。
【発明を実施するための形態】
【００２５】
〔実施の形態１〕
図１は、本実施の形態に係る衛星放送受信チューナの構成を示すブロック図である。
【００２６】
衛星から送信された信号は、ＬＮＢ１０１によって低い周波数に変換され、同軸ケーブル１０２を通って、図１に示す衛星放送受信チューナ５０に入力される。
【００２７】
衛星放送受信チューナ５０は、入力端子５３、コンデンサ５４、ハイパスフィルタ５５、増幅器５６、周波数変換回路５１、ローパスフィルタ５２、コンバータＩＣ５７、コンデンサ５９Ｉおよび５９Ｑ、ならびに出力端子５８Ｉおよび５８Ｑを備えている。
【００２８】
入力端子５３は、同軸ケーブル１０２から信号が入力される。
【００２９】
コンデンサ５４は、入力端子５３から出力された信号から直流成分を除去する。
【００３０】
ハイパスフィルタ５５は、コンデンサ５４から出力された信号の所望周波数以下の成分を減衰させる。
【００３１】
増幅器５６は、ハイパスフィルタ５５から出力された信号を増幅する。
【００３２】
周波数変換回路５１は、局部発振器５１Ｌとミキサ５１Ｍとを有している、周知の周波数変換回路であり、増幅器５６から出力された信号が入力され、この信号を低い周波数に変換（ダウンコンバート）する。局部発振器５１Ｌは、局部発振成分（局部発振器の出力信号）を生成し、ミキサ５１Ｍに供給する。ミキサ５１Ｍは、増幅器５６から出力された信号と該局部発振成分とをミキシングし、増幅器５６から出力された信号の周波数を変換する。
【００３３】
なお、周波数変換回路５１によって周波数変換され、周波数変換回路５１から出力される信号の周波数は、該信号を後段のコンバータＩＣ５７にて適切に受信できるように、９５０ＭＨｚ〜２１５０ＭＨｚの範囲内（２１５０ＭＨｚ以下）とする。すなわち、周波数変換回路５１は、入力された信号の周波数を２１５０ＭＨｚ以下に変換して出力するものである。
【００３４】
ローパスフィルタ５２は、周波数変換回路５１から出力された信号の所望周波数を超える成分を減衰させる。周波数変換回路５１から出力された信号には、高い周波数に変換（アップコンバート）されたイメージ信号が重畳しているが、このイメージ信号は不要である。ローパスフィルタ５２は、このイメージ信号を除去することを目的として設けられている。
【００３５】
コンバータＩＣ（第１のコンバータＩＣ）５７は、ＩＣとして集積化された周波数変換回路であり、自身に入力された、ローパスフィルタ５２から出力された信号に基づいて、希望放送チャンネルの選局を行う。コンバータＩＣ５７は、ローパスフィルタ５２から出力された信号に対して、ダイレクトコンバーション方式による周波数変換を施すことでベースバンド信号に変換し、このベースバンド信号を出力する。コンバータＩＣ５７は、コンバータＩＣ１０７（図４参照）と同じ種類のＩＣを用いることができ、換言すれば、既存のコンバータＩＣである。
【００３６】
コンデンサ５９Ｉは、コンバータＩＣ５７から出力されたＩ信号から直流成分を除去する。コンデンサ５９Ｑは、コンバータＩＣ５７から出力されたＱ信号から直流成分を除去する。
【００３７】
出力端子５８Ｉは、コンデンサ５９Ｉから出力されたＩ信号を、衛星放送受信チューナ５０の外部に出力する。出力端子５８Ｑは、コンデンサ５９Ｑから出力されたＱ信号を、衛星放送受信チューナ５０の外部に出力する。
【００３８】
出力端子５８Ｉおよび５８Ｑから出力された信号は、後段の復調回路（図示しない）へ出力される。
【００３９】
ここで、コンバータＩＣ５７の受信可能周波数範囲と、衛星放送受信チューナ５０の受信可能周波数範囲と、局部発振器５１Ｌの局部発振周波数との関係について説明する。
【００４０】
上述したとおり、コンバータＩＣ５７は、既存のコンバータＩＣである。従って、コンバータＩＣ５７の仕様によって定められるコンバータＩＣ５７の受信可能周波数範囲は、ＡＲＩＢ規格に対応した９５０ＭＨｚ〜２１５０ＭＨｚ（すなわち、上限が２１５０ＭＨｚ以下）である。
【００４１】
また、局部発振器５１Ｌの局部発振周波数は、衛星放送受信チューナ５０が受信した信号に対して、局部発振成分が干渉することを避けるため、衛星放送受信チューナ５０の受信可能周波数範囲外とする。
【００４２】
例えば、局部発振器５１Ｌの局部発振周波数を４３００ＭＨｚとすることが考えられる。この場合、コンバータＩＣ５７の受信可能周波数をＦｉｃ、局部発振器５１Ｌの局部発振周波数をＬＯ＝４３００ＭＨｚ、衛星放送受信チューナ５０の受信可能周波数をＦｒｆとすると、下記数式（１）〜（３）が成り立つ。
【００４３】
９５０ＭＨｚ≦Ｆｉｃ≦２１５０ＭＨｚ      ・・・（１）
Ｆｉｃ＝ＬＯ−Ｆｒｆ      ・・・（２）
２１５０ＭＨｚ≦Ｆｒｆ≦３３５０ＭＨｚ      ・・・（３）
上記数式（３）から、衛星放送受信チューナ５０の受信可能周波数範囲の上限は３３５０ＭＨｚであるため、局部発振器５１Ｌの局部発振周波数（４３００ＭＨｚ）は、衛星放送受信チューナ５０の受信可能周波数範囲外となっている。
【００４４】
衛星放送受信チューナ５０では、既存のコンバータＩＣ５７を用いて、２１５０ＭＨｚを超える周波数を有する信号（送信周波数が拡張された信号）を、適切に受信することができる。
【００４５】
また、衛星放送受信チューナ５０では、局部発振器５１Ｌの局部発振周波数が、衛星放送受信チューナ５０の受信可能周波数範囲外であるため、衛星放送受信チューナ５０が受信した信号に対して、局部発振成分が干渉することを避けることができる。こうして、受信した信号に対する他の信号の干渉が抑制される。
【００４６】
〔実施の形態２〕
図２は、本実施の形態に係る衛星放送受信チューナの構成を示すブロック図である。
【００４７】
図２に示す衛星放送受信チューナ６０は、図１に示す衛星放送受信チューナ５０の構成に加え、分波回路６１、コンバータＩＣ６７、コンデンサ６９Ｉおよび６９Ｑ、ならびに出力端子６８Ｉおよび６８Ｑを備えているものである。
【００４８】
分波回路６１は、増幅器５６に対して出力側、かつ周波数変換回路５１およびコンバータＩＣ６７に対して入力側に設けられている。分波回路６１は、ハイパスフィルタ６１Ｈと、ローパスフィルタ６１Ｌとを有している。増幅器５６の出力端は、ハイパスフィルタ６１Ｈの入力端と、ローパスフィルタ６１Ｌの入力端とに接続されている。ハイパスフィルタ６１Ｈの出力端は、ミキサ５１Ｍに接続されている。ローパスフィルタ６１Ｌの出力端は、コンバータＩＣ６７に接続されている。
【００４９】
ハイパスフィルタ６１Ｈは、増幅器５６から出力された信号の所望周波数以下の成分を減衰させる。ローパスフィルタ６１Ｌは、増幅器５６から出力された信号の所望周波数を超える成分を減衰させる。
【００５０】
コンバータＩＣ（第２のコンバータＩＣ）６７は、ＩＣとして集積化された周波数変換回路であり、自身に入力された、ローパスフィルタ６１Ｌから出力された信号に基づいて、希望放送チャンネルの選局を行う。コンバータＩＣ６７は、ローパスフィルタ６１Ｌから出力された信号に対して、ダイレクトコンバーション方式による周波数変換を施すことでベースバンド信号に変換し、このベースバンド信号を出力する。コンバータＩＣ６７は、コンバータＩＣ５７と同じ種類のＩＣを用いることができ、換言すれば、既存のコンバータＩＣである。
【００５１】
コンデンサ６９Ｉは、コンバータＩＣ６７から出力されたＩ信号から直流成分を除去する。コンデンサ６９Ｑは、コンバータＩＣ６７から出力されたＱ信号から直流成分を除去する。
【００５２】
出力端子６８Ｉは、コンデンサ６９Ｉから出力されたＩ信号を、衛星放送受信チューナ６０の外部に出力する。出力端子６８Ｑは、コンデンサ６９Ｑから出力されたＱ信号を、衛星放送受信チューナ６０の外部に出力する。
【００５３】
出力端子６８Ｉおよび６８Ｑから出力された信号は、後段の復調回路（図示しない）へ出力される。
【００５４】
分波回路６１は、自身に入力された、増幅器５６から出力された信号のうち、高い周波数の信号をハイパスフィルタ６１Ｈから出力し、低い周波数の信号をローパスフィルタ６１Ｌから出力する。これにより、分波回路６１は、入力された信号を周波数に応じて２経路（複数の経路）に分波することが可能である。例えば、ハイパスフィルタ６１Ｈは周波数２１５０ＭＨｚ（所定の周波数）を超える信号を通過させるように構成され、ローパスフィルタ６１Ｌは周波数２１５０ＭＨｚ以下の信号を通過させるように構成される。
【００５５】
そして、ハイパスフィルタ６１Ｈを通過した高い周波数の（周波数２１５０ＭＨｚを超える）信号は、周波数変換回路５１による周波数変換が施された後、コンバータＩＣ５７に入力される。ハイパスフィルタ６１Ｈ以降の経路を第１経路とすると、この第１経路には、周波数変換回路５１およびコンバータＩＣ５７が設けられていると言える。
【００５６】
一方、ローパスフィルタ６１Ｌを通過した低い周波数の（周波数２１５０ＭＨｚ以下の）信号は、そのままの周波数であってもコンバータＩＣ６７にて適切に受信できる。このため、ローパスフィルタ６１Ｌを通過した信号は、周波数変換が施されることなく、コンバータＩＣ６７に入力される。ローパスフィルタ６１Ｌ以降の経路を第２経路とすると、この第２経路には、コンバータＩＣ６７が設けられていると言える。
【００５７】
衛星放送受信チューナ６０は、第１経路にて衛星放送受信チューナ５０と同等の受信可能周波数範囲を有しており、さらに、第２経路にて周波数９５０ＭＨｚ〜２１５０ＭＨｚの信号を受信することができる。従って、衛星放送受信チューナ６０の受信可能周波数範囲は、９５０ＭＨｚ〜３３５０ＭＨｚとなり、衛星放送受信チューナ５０の受信可能周波数範囲（２１５０ＭＨｚ〜３３５０ＭＨｚ）より広い。つまり、衛星放送受信チューナ６０は、周波数２１５０ＭＨｚを超える信号と、周波数２１５０ＭＨｚ以下の信号とを同時に受信することができる。
【００５８】
〔実施の形態３〕
図３は、本実施の形態に係る衛星放送受信チューナの構成を示すブロック図である。
【００５９】
図３に示す衛星放送受信チューナ７０は、図１に示す衛星放送受信チューナ５０の構成に加え、スイッチ７１および７２、ならびに配線７３を備えているものである。
【００６０】
スイッチ（第１のスイッチ）７１は、周波数変換回路５１に対して入力側に設けられている。スイッチ７１の一端は、増幅器５６の出力端に接続されている。一方、スイッチ７１の他端は、ミキサ５１Ｍと、配線７３の一端とのいずれかに選択的に接続される。つまり、スイッチ７１は、増幅器５６の出力端とミキサ５１Ｍとを接続する状態と、増幅器５６の出力端と配線７３の一端とを接続する状態とを切り替える機能を有している。
【００６１】
スイッチ（第２のスイッチ）７２は、周波数変換回路５１に対して出力側に設けられている。スイッチ７２の一端は、ローパスフィルタ５２と、配線７３の他端とのいずれかに選択的に接続される。一方、スイッチ７２の他端は、コンバータＩＣ５７の入力端に接続されている。つまり、スイッチ７２は、ローパスフィルタ５２とコンバータＩＣ５７の入力端とを接続する状態と、配線７３の他端とコンバータＩＣ５７の入力端とを接続する状態とを切り替える機能を有している。
【００６２】
配線（バイパス経路）７３は、上述したとおり、スイッチ７１および７２と接続可能に設けられている。また、信号が配線７３を通過する場合、スイッチ７１から出力された信号が、周波数変換回路５１を通過することなく、スイッチ７２に入力されることになる。つまり、配線７３は、周波数変換回路５１を迂回して、スイッチ７１とスイッチ７２とを接続するものである。
【００６３】
増幅器５６から出力された信号は、スイッチ７１に入力される。
【００６４】
ここで、増幅器５６からスイッチ７１に入力された信号の周波数が高い（例えば、周波数２１５０ＭＨｚを超える）場合、スイッチ７１を増幅器５６の出力端とミキサ５１Ｍとを接続する状態とし、スイッチ７２をローパスフィルタ５２とコンバータＩＣ５７の入力端とを接続する状態とする。これにより、スイッチ７１から出力された信号は、周波数変換回路５１に入力され、周波数変換回路５１による周波数変換が施された後、ローパスフィルタ５２を通過して、スイッチ７２に入力される。
【００６５】
増幅器５６からスイッチ７１に入力された信号の周波数が低い（例えば、周波数２１５０ＭＨｚ以下）場合、スイッチ７１を増幅器５６の出力端と配線７３の一端とを接続する状態とし、スイッチ７２を配線７３の他端とコンバータＩＣ５７の入力端とを接続する状態とする。これにより、スイッチ７１から出力された信号は、配線７３を通って、スイッチ７２に入力される。この場合、上述したとおり、該信号に対して周波数変換回路５１による周波数変換は施されない。
【００６６】
スイッチ７２から出力された信号は、コンバータＩＣ５７に入力される。
【００６７】
スイッチ７１および７２を切り替える技術として、例えばＳＰＤＴスイッチが挙げられる。
【００６８】
衛星放送受信チューナ７０は、衛星放送受信チューナ６０と同等の受信可能周波数範囲を有しており、さらに、コンバータＩＣ６７（図２参照）が不要である。従って、コンバータＩＣの数を少なくすることによる、衛星放送受信チューナの低コスト化が期待できる。
【００６９】
〔まとめ〕
本発明の一態様に係る衛星放送受信チューナは、入力された信号の周波数を２１５０ＭＨｚ以下に変換して出力する周波数変換回路と、上記周波数変換回路に対して出力側に設けられており、入力された信号をベースバンド信号に変換する第１のコンバータＩＣ（コンバータＩＣ５７）であって、受信可能周波数範囲の上限が２１５０ＭＨｚ以下である第１のコンバータＩＣとを備えており、上記周波数変換回路は、衛星放送受信チューナの受信可能周波数範囲外である局部発振周波数を有する局部発振器と、上記局部発振器の出力信号を用いて、上記周波数変換回路に入力された信号に対する周波数変換を行うミキサとを有している。
【００７０】
上記の構成によれば、周波数変換回路による周波数変換により、既存のコンバータＩＣを用いて、２１５０ＭＨｚを超える周波数を有する信号（送信周波数が拡張された信号）を、適切に受信することができる。
【００７１】
また、上記の構成によれば、局部発振器の局部発振周波数が、衛星放送受信チューナの受信可能周波数範囲外であるため、衛星放送受信チューナが受信した信号に対して、局部発振成分が干渉することを避けることができる。こうして、受信した信号に対する他の信号の干渉が抑制される。
【００７２】
また、本発明の別の態様に係る衛星放送受信チューナは、上記態様において、上記局部発振器の局部発振周波数は、４３００ＭＨｚであり、上記衛星放送受信チューナの受信可能周波数範囲の上限は、３３５０ＭＨｚである。
【００７３】
また、本発明のさらに別の態様に係る衛星放送受信チューナは、上記態様において、入力された信号をベースバンド信号に変換する第２のコンバータＩＣ（コンバータＩＣ６７）であって、受信可能周波数範囲の上限が２１５０ＭＨｚ以下である第２のコンバータＩＣと、上記周波数変換回路に対して入力側、かつ上記第２のコンバータＩＣに対して入力側に設けられており、入力された信号を周波数に応じて複数の経路に分波する分波回路とを備えており、上記複数の経路のうち、所定の周波数（２１５０ＭＨｚ）を超える信号が通過する第１経路に、上記周波数変換回路および上記第１のコンバータＩＣが設けられており、上記複数の経路のうち、上記所定の周波数以下の信号が通過する第２経路に、上記第２のコンバータＩＣが設けられている。
【００７４】
上記の構成によれば、第１経路にて先の各態様に係る衛星放送受信チューナと同等の受信可能周波数範囲を有しており、さらに、第１経路の受信可能周波数範囲より低い周波数の信号を第２経路にて受信することができる。従って、受信可能周波数範囲を広くすることが可能となる。つまり、上記の構成によれば、所定の周波数を超える信号と、所定の周波数以下の信号とを同時に受信することができる。
【００７５】
また、本発明のさらに別の態様に係る衛星放送受信チューナは、上記態様において、上記周波数変換回路に対して入力側に設けられた第１のスイッチ（スイッチ７１）と、上記周波数変換回路に対して出力側に設けられた第２のスイッチ（スイッチ７２）と、上記周波数変換回路を迂回して、上記第１のスイッチと上記第２のスイッチとを接続するバイパス経路（配線７３）とを備えており、上記第１のスイッチおよび上記第２のスイッチは、上記第１のスイッチから出力された信号が、上記周波数変換回路を通過して、上記第２のスイッチに入力される状態と、上記第１のスイッチから出力された信号が、上記バイパス経路を通過して、上記第２のスイッチに入力される状態とを切り替える。
【００７６】
上記の構成によれば、第１経路および第２経路を有する先の衛星放送受信チューナと同等の受信可能周波数範囲を有しており、さらに、第２のコンバータＩＣが不要である。従って、コンバータＩＣの数を少なくすることによる、衛星放送受信チューナの低コスト化が期待できる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７８】
本発明は、衛星放送受信チューナに利用することができる。
【符号の説明】
【００７９】
５０  衛星放送受信チューナ
５１  周波数変換回路
５１Ｌ  局部発振器
５１Ｍ  ミキサ
５７  コンバータＩＣ（第１のコンバータＩＣ）
６０  衛星放送受信チューナ
６１  分波回路
６１Ｈ  ハイパスフィルタ
６１Ｌ  ローパスフィルタ
６７  コンバータＩＣ（第２のコンバータＩＣ）
７０  衛星放送受信チューナ
７１  スイッチ（第１のスイッチ）
７２  スイッチ（第２のスイッチ）
７３  配線（バイパス経路）
【図１】
2016063370.tif 000003
【図２】
2016063370.tif 000004
【図３】
2016063370.tif 000005
【図４】
2016063370.tif 000006